(57)【要約】【課題】ロータリ弁を使用することで生じる問題を解決し、効率の向上を図った磁気ヒートポンプ装置を提供する。【解決手段】磁気熱量効果を有する磁気作業物質１３を備え、熱媒体が流通される磁気作業体１１Ａ、１１Ｂと、磁気作業物質に印加される磁場の大きさを変更する永久磁石６と、磁気作業体の高温端１４と低温端１６の間で熱媒体を往復移動させるディスプレーサ８と、外部熱交換器１９、２２を有して第２の熱媒体を循環させる外部熱媒体循環回路２７、２８を備える。外部熱媒体循環回路は、第２の熱媒体と磁気作業体の熱媒体とを熱交換させ、熱交換した当該第２の熱媒体を、外部熱交換器に循環させる。【選択図】図１
2018115792.tif 000002
【特許請求の範囲】
【請求項１】
磁気熱量効果を有する磁気作業物質を備え、熱媒体が流通される磁気作業体と、
前記磁気作業物質に印加される磁場の大きさを変更する磁場変更装置と、
前記磁気作業体の高温端と低温端の間で前記熱媒体を往復移動させるディスプレーサと、
外部熱交換器を有し、第２の熱媒体を循環させる外部熱媒体循環回路とを備え、
該外部熱媒体循環回路は、前記第２の熱媒体と前記磁気作業体の熱媒体とを熱交換させ、熱交換した当該第２の熱媒体を、前記外部熱交換器に循環させることを特徴とする磁気ヒートポンプ装置。
【請求項２】
放熱側の前記外部熱交換器を有する第１の前記外部熱媒体循環回路と、
吸熱側の前記外部熱交換器を有する第２の前記外部熱媒体循環回路とを備え、
前記第１の外部熱媒体循環回路は、前記第２の熱媒体と前記磁気作業体の高温端側の熱媒体とを熱交換させ、熱交換した当該第２の熱媒体を、前記放熱側の外部熱交換器に循環させると共に、
前記第２の外部熱媒体循環回路は、前記第２の熱媒体と前記磁気作業体の低温端側の熱媒体とを熱交換させ、熱交換した当該第２の熱媒体を、前記吸熱側の外部熱交換器に循環させることを特徴とする請求項１に記載の磁気ヒートポンプ装置。
【請求項３】
前記磁気作業体の高温端側に設けられた高温端側の前記ディスプレーサと、
前記磁気作業体の低温端側に設けられた低温端側の前記ディスプレーサとを備え、
前記高温端側のディスプレーサと前記低温端側のディスプレーサを背中合わせに配置したことを特徴とする請求項１又は請求項２に記載の磁気ヒートポンプ装置。
【発明の詳細な説明】
【技術分野】
【０００１】
本発明は、磁気作業物質の磁気熱量効果を利用した磁気ヒートポンプ装置に関する。
【背景技術】
【０００２】
フロン等の気体冷媒を使用した従来の蒸気圧縮冷凍装置に代わり、磁気作業物質が励磁と消磁の際に大きな温度変化を生じさせる性質（磁気熱量効果）を利用した磁気ヒートポンプ装置が近年注目されている。
【０００３】
従来よりこの種の磁気ヒートポンプ装置では、磁気作業物質を磁気作業体のダクト内に充填し、永久磁石を磁気作業体に離接させることで、磁気作業物質に印加する磁場を変更する。このとき、印加する磁場を増大（励磁）させると磁気作業物質の温度は上昇し、減少（消磁）させると温度は低下する。
【０００４】
一方、ポンプとロータリ弁を用い、磁気作業体の高温端と低温端の間で熱媒体（水等）を往復移動させる。この場合、磁気作業物質を励磁し、その温度を上昇させ、熱媒体を低温端側から高温端側に移動させることで、励磁によって温度が上昇した磁気作業物質と低温の熱媒体とを熱交換させる。これにより、磁気作業体には高温端側が高く、低温端側が低い温度勾配が生じる。
【０００５】
次に、磁気作業物質を消磁すると、その温度は低下するが、熱媒体を高温端側から低温端側に移動させることで、消磁によって温度が低下した磁気作業物質と高温の熱媒体とを熱交換させる。これにより、磁気作業体の温度勾配は更に拡大する。
【０００６】
このようにして磁気熱量効果により生じる温度変化を磁気作業体自身に蓄熱し、低温端側と高温端側の熱媒体を外部の熱交換器に取り出すことで、吸熱（冷凍）や放熱（加熱）を行うものであった（例えば、特許文献１参照）。
【先行技術文献】
【特許文献】
【０００７】
【特許文献１】特開２００８−５１４０９号公報
【発明の概要】
【発明が解決しようとする課題】
【０００８】
しかしながら、ロータリ弁を使用すると構造上の理由で温度の異なる熱媒体の混合損失や摩擦熱が発生する。また、外部の熱交換器と磁気作業体側で熱媒体の流量が異なってくる問題もあった。
【０００９】
本発明は、係る従来の技術的課題を解決するために成されたものであり、ロータリ弁を使用することで生じる問題を解決し、効率の向上を図った磁気ヒートポンプ装置を提供することを目的とする。
【課題を解決するための手段】
【００１０】
本発明の磁気ヒートポンプ装置は、磁気熱量効果を有する磁気作業物質を備え、熱媒体が流通される磁気作業体と、磁気作業物質に印加される磁場の大きさを変更する磁場変更装置と、磁気作業体の高温端と低温端の間で熱媒体を往復移動させるディスプレーサと、外部熱交換器を有し、第２の熱媒体を循環させる外部熱媒体循環回路とを備え、この外部熱媒体循環回路は、第２の熱媒体と磁気作業体の熱媒体とを熱交換させ、熱交換した当該第２の熱媒体を、外部熱交換器に循環させることを特徴とする。
【００１１】
請求項２の発明の磁気ヒートポンプ装置は、上記発明において放熱側の外部熱交換器を有する第１の外部熱媒体循環回路と、吸熱側の外部熱交換器を有する第２の外部熱媒体循環回路とを備え、第１の外部熱媒体循環回路は、第２の熱媒体と磁気作業体の高温端側の熱媒体とを熱交換させ、熱交換した当該第２の熱媒体を、放熱側の外部熱交換器に循環させると共に、第２の外部熱媒体循環回路は、第２の熱媒体と磁気作業体の低温端側の熱媒体とを熱交換させ、熱交換した当該第２の熱媒体を、吸熱側の外部熱交換器に循環させることを特徴とする。
【００１２】
請求項３の発明の磁気ヒートポンプ装置は、上記各発明において磁気作業体の高温端側に設けられた高温端側のディスプレーサと、磁気作業体の低温端側に設けられた低温端側のディスプレーサとを備え、高温端側のディスプレーサと低温端側のディスプレーサを背中合わせに配置したことを特徴とする。
【発明の効果】
【００１３】
本発明の磁気ヒートポンプ装置によれば、磁気熱量効果を有する磁気作業物質を備え、熱媒体が流通される磁気作業体と、磁気作業物質に印加される磁場の大きさを変更する磁場変更装置と、磁気作業体の高温端と低温端の間で熱媒体を往復移動させるディスプレーサと、外部熱交換器を有し、第２の熱媒体を循環させる外部熱媒体循環回路とを備えており、この外部熱媒体循環回路が、第２の熱媒体と磁気作業体の熱媒体とを熱交換させ、熱交換した当該第２の熱媒体を、外部熱交換器に循環させるようにしたので、磁気作業体の高温端側と低温端側の熱媒体と第２の熱媒体とを熱交換させ、外部熱交換器に間接的に取り出すことができるようになる。
【００１４】
また、ディスプレーサにより磁気作業体の熱媒体を往復移動させるので、ロータリ弁を使用した場合の如き混合損失や摩擦熱の問題も解消され、磁気作業物質の磁気熱量効果による温度変化を有効且つ効率的に利用することができるようになる。
【００１５】
この場合、請求項２の発明の如く放熱側の外部熱交換器を有する第１の外部熱媒体循環回路と、吸熱側の外部熱交換器を有する第２の外部熱媒体循環回路を設け、第１の外部熱媒体循環回路が、第２の熱媒体と磁気作業体の高温端側の熱媒体とを熱交換させ、熱交換した当該第２の熱媒体を、放熱側の外部熱交換器に循環させると共に、第２の外部熱媒体循環回路が、第２の熱媒体と磁気作業体の低温端側の熱媒体とを熱交換させ、熱交換した当該第２の熱媒体を、吸熱側の外部熱交換器に循環させるようにすれば、磁気作業体の高温端側の熱媒体の温度を第２の熱媒体に効率的に移動させ、低温端側の熱媒体に第２の熱媒体の熱を効率的に移動させることができるようなる。
【００１６】
更に、請求項３の発明の如く磁気作業体の高温端側に設けられた高温端側のディスプレーサと、磁気作業体の低温端側に設けられた低温端側のディスプレーサとを背中合わせに配置すれば、ディスプレーサの駆動動力を極力抑えることも可能となる。
【図面の簡単な説明】
【００１７】
【図１】本発明を適用した実施例の磁気ヒートポンプ装置の全体構成図である。
【図２】図１の磁気ヒートポンプ用ＡＭＲ（Ａｃｔｉｖｅ  Ｍａｇｎｅｔｉｃ  Ｒｅｇｅｎｅｒａｔｏｒ）の断面図である。
【図３】本発明を適用した他の実施例の磁気ヒートポンプ装置を説明するための全体構成図である。
【発明を実施するための形態】
【００１８】
以下、本発明の一実施形態を図面に基づいて説明する。図１は本発明を適用した実施例の磁気ヒートポンプ装置１の全体構成図、図２は磁気ヒートポンプ装置１の磁気ヒートポンプ用ＡＭＲ２の断面図を示している。
【００１９】
（１）磁気ヒートポンプ装置１の構成
先ず、図２の磁気ヒートポンプ用ＡＭＲ２について説明する。磁気ヒートポンプ装置１の磁気ヒートポンプ用ＡＭＲ２は、軸方向の両端が閉塞され、内部が真空気密状態とされた中空筒状の筐体３と、この筐体３内の軸心にあって、軸対称となる周面に一対（二個）の永久磁石６（磁場発生部材）が放射状に取り付けられた回転体７とを備える。回転体７の軸の両端は筐体３によって回転自在に軸支されると共に、更に図示しない減速機を介してモータＭ（図１。サーボモータ）の回転軸１０に連結され、このモータＭにより回転制御される。これら回転体７や永久磁石６、モータＭ等により後述する磁気作業物質１３に印加される磁場の大きさを変更する磁場変更装置が構成される。また、モータＭの回転軸１０には後述するディスプレーサ（ピストン）８を駆動するカム９（図１）も連結される。
【００２０】
一方、筐体３の内周には、永久磁石６の二倍の個数である四本の磁気作業体１１Ａ、１１Ａ、１１Ｂ、１１Ｂが、永久磁石６の外周面に近接する状態で周方向に等間隔で固定されている。実施例の場合、磁気作業体１１Ａと１１Ａが回転体７を挟んで軸対称位置に配置され、磁気作業体１１Ｂと１１Ｂが回転体７を挟んで軸対称位置に配置されている（図２）。各磁気作業体１１Ａ、１１Ｂは、断面が筐体３の内周に沿った円弧状となる中空のダクト１２内に、磁気熱量効果を有する磁気作業物質１３を、熱媒体（ここでは水。第１の熱媒体）が流通可能にそれぞれ充填したものである（図１）。
【００２１】
尚、磁気作業体１１Ａと１１Ｂは実際には図２の如く二つずつ軸対称位置に配置されているが、図１ではそれぞれ一つずつを代表して示している。また、実施例ではダクト１２を断熱性の高い樹脂材料にて構成している。これにより、後述する如き磁場の変更（励磁と消磁）で温度が上昇し、或いは、低下する磁気作業物質１３から大気（外部）への熱損失を低減させている。更に、実施例では磁気作業物質１３としてＭｎ系、又は、Ｌａ系材料を使用している。
【００２２】
そして、係る磁気ヒートポンプ用ＡＭＲ２を組み込んだ図１の磁気ヒートポンプ装置１の全体構成図において、各磁気作業体１１Ａ、１１Ｂは、一端（図１における右端）に高温端１４を有し、他端（図１における左端）に低温端１６を有している。そして、各磁気作業体１１Ａ、１１Ａ、１１Ｂ、１１Ｂ（図１では一つずつを代表して示す）の高温端１４に高温配管１７が取り付けられ、図２の筐体３から引き出されている。また、各磁気作業体１１Ａ、１１Ａ、１１Ｂ、１１Ｂ（図１では一つずつを代表して示す）の低温端１６に低温配管１８が取り付けられ、図２の筐体３から引き出されている。
【００２３】
上記高温配管１７には各磁気作業体１１Ａ、１１Ａ、１１Ｂ、１１Ｂの高温端１４内に配置された高温端側の熱交換器２４、２４と、磁気ヒートポンプ用ＡＭＲ２の外部に配置された放熱側の外部熱交換器１９が接続されており、更に、高温配管１７中には循環ポンプ２１が介設されている。高温配管１７内には第２の熱媒体（これも水）が封入されており、循環ポンプ２１により、磁気作業体１１Ａ、１１Ａの高温端１４内に設けられた熱交換器２４、外部熱交換器１９、磁気作業体１１Ｂ、１１Ｂの高温端１４内に設けられた熱交換器２４の順で第２の熱媒体が循環され、第２の熱媒体は各熱交換器２４、２４において各磁気作業体１１Ａ、１１Ａ、１１Ｂ、１１Ｂの高温端１４側の熱媒体（前記第１の熱媒体）と熱交換するように構成されている。そして、これら高温配管１７、熱交換器２４、２４、外部熱交換器１９、循環ポンプ２１により第１の外部熱媒体循環回路２７が構成される。
【００２４】
また、低温配管１８には各磁気作業体１１Ａ、１１Ａ、１１Ｂ、１１Ｂの低温端１６内に配置された低温端側の熱交換器２６、２６と、磁気ヒートポンプ用ＡＭＲ２の外部に配置された吸熱側の外部熱交換器２２が接続されており、更に、低温配管１８中には循環ポンプ２３が介設されている。低温配管１８内にも第２の熱媒体が封入されており、循環ポンプ２３により、磁気作業体１１Ａ、１１Ａの低温端１６内に設けられた熱交換器２６、外部熱交換器２２、磁気作業体１１Ｂ、１１Ｂの低温端１６内に設けられた熱交換器２６の順で第２の熱媒体が循環され、第２の熱媒体は各熱交換器２６、２６において各磁気作業体１１Ａ、１１Ａ、１１Ｂ、１１Ｂの低温端１６側の熱媒体（前記第１の熱媒体）と熱交換するように構成されている。そして、これら低温配管１８、熱交換器２６、２６、外部熱交換器２２、循環ポンプ２３により第２の外部熱媒体循環回路２８が構成される。
【００２５】
また、ディスプレーサ（ピストン）８は各磁気作業体１１Ａ、１１Ａ、１１Ｂ、１１Ｂの高温端１４と低温端１６にそれぞれ配置されており、モータＭの回転軸１０で回転されるカム９により駆動され、各磁気作業体１１Ａ、１１Ａ、１１Ｂ、１１Ｂの高温端１４と低温端１６の間で熱媒体（水。第１の熱媒体）を往復移動させる。
【００２６】
即ち、図１の如く磁気作業体１１Ａ、１１Ａの高温端１４側のディスプレーサ８が後退し、低温端１６側のディスプレーサ８が進出すると、熱媒体は磁気作業体１１Ａの低温端１６側から高温端１４側に移動される。一方、磁気作業体１１Ｂ、１１Ｂの低温端１６側のディスプレーサ８は図１の如く後退し、高温端１４側のディスプレーサ８は進出し、熱媒体は磁気作業体１１Ｂの高温端１４側から低温端１６側に移動される。これらディスプレーサ８やカム９、更にはモータＭ、回転軸１０等により、各磁気作業体１１Ａ、１１Ａ、１１Ｂ、１１Ｂの高温端１４と低温端１６の間で熱媒体を往復移動させる熱媒体移動装置が構成される。
【００２７】
（２）磁気ヒートポンプ装置１の動作
以上の構成の磁気ヒートポンプ装置１の動作について説明する。先ず、回転体７が０°の位置（図２に示す位置）にあるとき、永久磁石６、６が０°及び１８０°の位置にあるので、この０°及び１８０°の位置にある磁気作業体１１Ａ、１１Ａの磁気作業物質１３に印加される磁場の大きさは増大し、励磁されて温度が上昇する。一方、これと９０°位相が異なる９０°及び２７０°の位置にある磁気作業体１１Ｂ、１１Ｂの磁気作業物質１３に印加される磁場の大きさは減少し、消磁されて温度が低下する。
【００２８】
また、モータＭの回転により回転体７が０°の位置（図２）にあるとき、カム９、９がモータＭの回転軸１０で駆動されて、図１の如く磁気作業体１１Ａ、１１Ａの高温端１４側のディスプレーサ８を後退させ、低温端１６側のディスプレーサ８を進出させる。これにより、熱媒体は磁気作業体１１Ａの低温端１６側から高温端１４側に移動される。
【００２９】
これにより、永久磁石６、６により励磁されての温度が上昇した磁気作業体１１Ａ、１１Ａの磁気作業物質１３と低温の熱媒体とを熱交換させることで、磁気作業体１１Ａ、１１Ａに高温端１４側が高く、低温端１６側が低い温度勾配を生じさせる。
【００３０】
また、モータＭの回転により回転体７が０°の位置（図２）にあるとき、カム９、９がモータＭの回転軸１０で駆動されて、図１の如く磁気作業体１１Ｂ、１１Ｂの高温端１４側のディスプレーサ８を進出させ、低温端１６側のディスプレーサ８を後退させる。これにより、熱媒体は磁気作業体１１Ｂの高温端１４側から低温端１６側に移動される。これにより、消磁によって温度が低下した磁気作業体１１Ｂ、１１Ｂの磁気作業物質１３と高温の熱媒体とを熱交換させ、磁気作業体１１Ｂ、１１Ｂの温度勾配を更に拡大させる。
【００３１】
次に、モータＭにより回転体７が９０°回転されると、永久磁石６、６が９０°及び２７０°の位置に来るので、この９０°及び２７０°の位置にある磁気作業体１１Ｂ、１１Ｂの磁気作業物質１３に印加される磁場の大きさは増大し、励磁されて温度が上昇する。一方、これと９０°位相が異なる０°及び１８０°の位置にある磁気作業体１１Ａ、１１Ａの磁気作業物質１３に印加される磁場の大きさは減少し、消磁されて温度が低下する。
【００３２】
また、モータＭの回転により回転体７が９０°の位置にあるとき、カム９、９がモータＭの回転軸１０で駆動されて、磁気作業体１１Ａ、１１Ａの高温端１４側のディスプレーサ８を進出させ、低温端１６側のディスプレーサ８を後退させる。これにより、熱媒体は磁気作業体１１Ａの高温端１４側から低温端１６側に移動される。これにより、消磁によって温度が低下した磁気作業体１１Ａ、１１Ａの磁気作業物質１３と高温の熱媒体とを熱交換させ、磁気作業体１１Ａ、１１Ａの温度勾配を更に拡大させる。
【００３３】
また、モータＭの回転により回転体７が９０°の位置に来ると、カム９、９がモータＭの回転軸１０で駆動されて、磁気作業体１１Ｂ、１１Ｂの低温端１６側のディスプレーサ８を進出させ、高温端１４側のディスプレーサ８を後退させる。これにより、熱媒体は磁気作業体１１Ｂの低温端１６側から高温端１４側に移動される。
【００３４】
これにより、永久磁石６、６により励磁されての温度が上昇した磁気作業体１１Ｂ、１１Ｂの磁気作業物質１３と低温の熱媒体とを熱交換させることで、磁気作業体１１Ｂ、１１Ｂの温度勾配を更に拡大させる。
【００３５】
このようにして温度が上昇した各磁気作業体１１Ａ、１１Ａ、１１Ｂ、１１Ｂの高温端１４側の熱媒体は、熱交換器２４において第１の外部熱媒体循環回路２７の第２の熱媒体と熱交換し、第２の熱媒体の温度は上昇する。この温度が上昇した第２の熱媒体は、循環ポンプ２１により高温配管１７を経て放熱側の外部熱交換器１９に循環され、外部に放熱する。
【００３６】
また、温度が低下した各磁気作業体１１Ａ、１１Ａ、１１Ｂ、１１Ｂの低温端１６側の熱媒体は、熱交換器２６において第２の外部熱媒体循環回路２８の第２の熱媒体と熱交換し、第２の熱媒体の温度は低下する。この温度が低下した第２の熱媒体は、循環ポンプ２３により低温配管１８を経て吸熱側の外部熱交換器２２に循環され、外部から吸熱する。熱媒体（第１の熱媒体）の往復移動により、各磁気作業体１１Ａ、１１Ｂの高温端１４と低温端１６には往復移動に連動した温度変動が生じるが、上述の如く第２の熱媒体と熱交換させて各外部熱交換器１９、２２にて放熱／吸熱させることで、熱媒体（第１の熱媒体）の温度変動は平均化されることになる。
【００３７】
このようなモータＭによる回転体７の回転とディスプレーサ８の切り換えを比較的高速の回転数とタイミングで行い、各磁気作業体１１Ａ、１１Ａ、１１Ｂ、１１Ｂの高温端１４と低温端１６の間で熱媒体（水）を往復移動させ、励磁／消磁される各磁気作業体１１Ａ、１１Ａ、１１Ｂ、１１Ｂの磁気作業物質１３からの吸熱／放熱を繰り返すことによって、各磁気作業体１１Ａ、１１Ａ、１１Ｂ、１１Ｂの高温端１４と低温端１６の温度差が徐々に拡大し、やがて吸熱側の外部熱交換器２２に循環される第２の熱媒体が流れる熱交換器２６が設けられた各磁気作業体１１Ａ、１１Ａ、１１Ｂ、１１Ｂの低温端１６の温度は磁気作業物質１３の冷凍能力と外部熱交換器２２で冷却される被冷却体の熱負荷とがバランスする温度まで低下し、放熱側の外部熱交換器１９に循環される第２の熱媒体が流れる熱交換器２４が設けられた各磁気作業体１１Ａ、１１Ａ、１１Ｂ、１１Ｂの高温端１４の温度は外部熱交換器１９の放熱能力と冷凍能力とがバランスして略一定温度になる。
【００３８】
以上の如く本発明によれば、ディスプレーサ８により磁気作業体１１Ａ、１１Ｂの高温端１４と低温端１６の間で熱媒体を往復移動させると共に、外部熱交換器１９、２２に第２の熱媒体を循環させる外部熱媒体循環回路２７、２８を設け、この外部熱媒体循環回路２７、２８により、第２の熱媒体と磁気作業体１１Ａ、１１Ｂの熱媒体とを熱交換させ、熱交換した当該第２の熱媒体を、外部熱交換器１９、２２に循環させるようにしたので、磁気作業体１１Ａ、１１Ｂの高温端１４側と低温端１６側の熱媒体（第１の熱媒体）と第２の熱媒体とを熱交換させ、外部熱交換器１９、２２に間接的に取り出すことができるようになる。
【００３９】
また、ディスプレーサ８により磁気作業体１１Ａ、１１Ｂの熱媒体を往復移動させるので、ロータリ弁を使用した場合の如き混合損失や摩擦熱の問題も解消される。これらにより本発明によれば、磁気作業物質１３の磁気熱量効果による温度変化を有効且つ効率的に利用することができるようになる。
【００４０】
また、実施例では放熱側の外部熱交換器１９を有する第１の外部熱媒体循環回路２７と、吸熱側の外部熱交換器２２を有する第２の外部熱媒体循環回路２８を設け、第１の外部熱媒体循環回路２７が、第２の熱媒体と磁気作業体１１Ａ、１１Ｂの高温端１４側の熱媒体（第１の熱媒体）とを熱交換させ、熱交換した当該第２の熱媒体を、放熱側の外部熱交換器１９に循環させると共に、第２の外部熱媒体循環回路２８が、第２の熱媒体と磁気作業体１１Ａ、１１Ｂの低温端１６側の熱媒体（第１の熱媒体）とを熱交換させ、熱交換した当該第２の熱媒体を、吸熱側の外部熱交換器２２に循環させるようにしているので、磁気作業体１１Ａ、１１Ｂの高温端１４側の熱媒体（第１の熱媒体）の温度を第２の熱媒体に効率的に移動させ、低温端１６側の熱媒体（第１の熱媒体）に第２の熱媒体の熱を効率的に移動させることができるようなる。
【００４１】
尚、実施例では図１に示す如く磁気作業体１１Ａ、１１Ｂのディスプレーサ８やカム９を高温端１４側と低温端１６側とでそれぞれ駆動させるかたちで示したが、各磁気作業体１１Ａ、１１Ｂの高温端１４側に設けられたディスプレーサ８（高温端側のディスプレーサ）と、低温端１６側に設けられたディスプレーサ８（低温端側のディスプレーサ）とを背中合わせに配置することも考えられる。その場合には、磁気作業体１１Ａ、１１Ｂを環状にする等の形状変更が必要になり、磁気ヒートポンプ用ＡＭＲ２の具体的な構成も図２とは異なって来るものの、高温端１４側のカム９と低温端１６側のカム９を一つのものとし、その両側で図３中に破線矢印Ｆ１、Ｆ２で示すように高温端１４側のディスプレーサ８を進出／後退させ、低温端１６側のディスプレーサ８を後退／進出させることができるようになるので、カム９も共用できるようになると共に、各ディスプレーサ８を駆動するための駆動動力を極力抑えることが可能となる。
【００４２】
また、磁気ヒートポンプ装置の全体構成も実施例に限られるものでは無く、本発明の趣旨を逸脱しない範囲で種々変更可能であることは云うまでもない。
【符号の説明】
【００４３】
１  磁気ヒートポンプ装置
２  磁気ヒートポンプ用ＡＭＲ
３  筐体
６  永久磁石（磁場変更装置）
７  回転体（磁場変更装置）
８  ディスプレーサ（熱媒体移動装置）
９  カム（熱媒体移動装置）
１１Ａ、１１Ｂ  磁気作業体
１２  ダクト
１３  磁気作業物質
１４  高温端
１６  低温端
１９、２２  外部熱交換器
２１、２３  循環ポンプ
２４、２６  熱交換器
２７  第１の外部熱媒体循環回路
２８  第２の外部熱媒体循環回路
Ｍ  モータ
【図１】
2018115792.tif 000003
【図２】
2018115792.tif 000004
【図３】
2018115792.tif 000005